(57)【要約】【課題】ガスメータによるガス漏れ検知を抑制する燃料電池装置及び制御方法を提供する。【解決手段】燃料電池装置は、ホットモジュールと、制御部と、を備える。ホットモジュールは、ガスメータを経て供給されるガスを改質反応させることで発電する発電状態とガスを用いた発電を行わない停止状態とを有し停止状態から起動処理状態を経て発電状態に遷移し発電状態から停止処理状態を経て停止状態に遷移する。制御部は、ホットモジュールに所定周期ごとに所定の定期停止期間、停止状態を維持させる。制御部は、ホットモジュールが定期停止期間以外で停止状態である場合に第１所定時刻以前のときにはホットモジュールを起動処理状態に遷移させ、第１所定時刻より後のときにはホットモジュールを起動処理状態に遷移させない。第１所定時刻は、次の定期停止期間の開始予定時刻から起動処理状態の所要時間と停止処理状態の所要時間との合計時間分遡った時刻である。【選択図】図３
2018190568.tif 000002
【特許請求の範囲】
【請求項１】
ガスメータを経て供給されるガスを改質反応させることで発電する発電状態と、前記ガスを用いた発電を行わない停止状態とを有し、前記停止状態から起動処理状態を経て前記発電状態に遷移し、前記発電状態から停止処理状態を経て前記停止状態に遷移するホットモジュールと、
前記ホットモジュールに、所定周期ごとに所定の定期停止期間、前記停止状態を維持させる制御部と、
を備え、
前記制御部は、前記ホットモジュールが前記定期停止期間以外で前記停止状態である場合に、次の定期停止期間の開始予定時刻から前記起動処理状態の所要時間と前記停止処理状態の所要時間との合計時間分遡った第１所定時刻以前のときには前記ホットモジュールを前記起動処理状態に遷移させ、前記第１所定時刻より後のときには前記ホットモジュールを前記起動処理状態に遷移させない、
燃料電池装置。
【請求項２】
前記制御部は、次の定期停止期間の開始予定時刻から前記停止処理状態の所要時間遡った第２所定時刻で前記ホットモジュールが前記発電状態である場合に、前記第２所定時刻に前記ホットモジュールを前記停止処理状態に遷移させ、次の定期停止期間の終了時刻に前記ホットモジュールを前記起動処理状態に遷移させる再起動処理を行う、
請求項１に記載の燃料電池装置。
【請求項３】
ユーザからの入力を受け付ける入力部をさらに備え、
前記制御部は、前記ホットモジュールの停止命令が前記入力部に入力されると、前記ホットモジュールを前記停止状態に遷移させ、次の定期停止期間の終了時刻であっても前記再起動処理を行わない、
請求項２に記載の燃料電池装置。
【請求項４】
前記制御部は、前記ホットモジュールが異常停止すると、次の定期停止期間の終了時刻であっても前記再起動処理を行わない、
請求項２又は３に記載の燃料電池装置。
【請求項５】
前記ホットモジュールは、前記発電状態以外の動作状態では外部の電力で駆動し、
前記制御部は、前記ホットモジュールが前記発電状態であって、かつ次の定期停止期間の開始予定時刻から前記停止処理状態の所要時間と所定時間との合計時間分遡った時刻以後に前記外部の電力の供給が停止した場合、当該停止から前記所定時間以内に前記外部の電力の供給が再開すると前記ホットモジュールを前記停止処理状態に遷移させる、
請求項１から４のいずれか一項に記載の燃料電池装置。
【請求項６】
前記ガスメータは、ガスの供給が所定期間以上継続すると前記ガスの供給を遮断する、
請求項１から５のいずれか一項に記載の燃料電池装置。
【請求項７】
ガスメータを経て供給されるガスを改質反応させて得られる水素を用いて発電する発電状態と、前記水素を用いた発電を行わない停止状態とを有し、前記停止状態から起動処理状態を経て前記発電状態に遷移し、前記発電状態から停止処理状態を経て前記停止状態に遷移するホットモジュールを備える燃料電池装置の制御方法であって、
前記ホットモジュールに、所定周期ごとに所定の定期停止期間、前記停止状態を継続させ、
前記ホットモジュールが前記定期停止期間以外で前記停止状態である場合に、次の定期停止期間の開始予定時刻から前記起動処理状態の所要時間と前記停止処理状態の所要時間との合計時間分遡った第１所定時刻より前のときには前記ホットモジュールを前記起動処理状態に遷移させ、前記第１所定時刻以後のときには前記ホットモジュールを前記起動処理状態に遷移させない、
制御方法。
【発明の詳細な説明】
【技術分野】
【０００１】
本開示は、燃料電池装置及び制御方法に関する。
【背景技術】
【０００２】
都市ガスなどの燃料ガスを改質反応させ、得られる水素を用いて発電する燃料電池装置が知られている。かかる燃料電池装置は、例えば各需要家施設に設置される。その場合、燃料電池装置は、都市ガスを用いて発電し、電力を需要家施設の負荷機器に供給する。
【０００３】
需要家施設では、燃料電池装置は、ガスメータを介してガスの供給を受ける。ガスメータは、ガスの供給の異常を検知すると、自動的にガスの供給を遮断する保安機能を有する。例えば、ガスメータは、ガスが所定のガス漏れ検知期間（例えば３０日間）にわたって流れ続けた場合に、ガス漏れが生じたと判定してガスの供給を遮断する。
【０００４】
燃料電池装置が安定した発電に資するために、ガスの継続的供給が要求される。しかし、ガスメータが保安のためにガス供給を遮断すると、燃料電池装置へのガスの継続的供給が妨げられる。かかる制約において燃料電池装置へのガスの継続的供給を確保する技術として、例えば特許文献１には、所定のガス遮断期間を設けることでガスメータのガス漏れ検知を抑制し、ガスの遮断を回避する熱機器が開示されている。
【先行技術文献】
【特許文献】
【０００５】
【特許文献１】特開２０１３−２１３６０９号公報
【発明の概要】
【発明が解決しようとする課題】
【０００６】
ガスメータによるガス漏れ検知発生の抑制には、更なる改善の余地がある。
【０００７】
本開示は、ガスメータによるガス漏れ検知を抑制する燃料電池装置及び制御方法に関する。
【課題を解決するための手段】
【０００８】
本開示の一実施形態に係る燃料電池装置は、ホットモジュールと、制御部と、を備える。前記ホットモジュールは、発電状態と、停止状態とを有する。前記ホットモジュールは、前記発電状態では、ガスメータを経て供給されるガスを改質反応させることで発電する。前記ホットモジュールは、前記停止状態では、前記ガスを用いた発電を行わない。前記ホットモジュールは、前記停止状態から起動処理状態を経て前記発電状態に遷移する。前記ホットモジュールは、前記発電状態から停止処理状態を経て前記停止状態に遷移する。前記制御部は、前記ホットモジュールに、所定周期ごとに所定の定期停止期間、前記停止状態を維持させる。前記制御部は、前記ホットモジュールが前記定期停止期間以外で前記停止状態である場合に、第１所定時刻以前のときには前記ホットモジュールを前記起動処理状態に遷移させ、前記第１所定時刻より後のときには前記ホットモジュールを前記起動処理状態に遷移させない。前記第１所定時刻は、次の定期停止期間の開始予定時刻から前記起動処理状態の所要時間と前記停止処理状態の所要時間との合計時間分遡った時刻である。
【０００９】
本開示の一実施形態に係る制御方法は、ガスメータを経て供給されるガスを改質反応させて得られる水素を用いて発電する発電状態と、前記水素を用いた発電を行わない停止状態とを有し、前記停止状態から起動処理状態を経て前記発電状態に遷移し、前記発電状態から停止処理状態を経て前記停止状態に遷移するホットモジュールを備える燃料電池装置の制御方法であって、前記ホットモジュールに、所定周期ごとに所定の定期停止期間、前記停止状態を継続させ、前記ホットモジュールが前記定期停止期間以外で前記停止状態である場合に、次の定期停止期間の開始予定時刻から前記起動処理状態の所要時間と前記停止処理状態の所要時間との合計時間分遡った第１所定時刻より前のときには前記ホットモジュールを前記起動処理状態に遷移させ、前記第１所定時刻以後のときには前記ホットモジュールを前記起動処理状態に遷移させない。
【発明の効果】
【００１０】
本開示の一実施形態によれば、ガスメータによるガス漏れ検知を抑制する燃料電池装置及び制御方法が実現される。
【図面の簡単な説明】
【００１１】
【図１】本開示の一実施形態に係る燃料電池装置の概略構成を示すブロック図である。
【図２】ホットモジュールの動作を説明する図である。
【図３】制御部がホットモジュールを制御する態様を示す図（その１）である。
【図４】制御部がホットモジュールを制御する態様を示す図（その２）である。
【図５】停電時における燃料電池装置の動作を示すフローチャートである。
【発明を実施するための形態】
【００１２】
以下、本開示の一実施形態について、図面を参照して説明する。
【００１３】
［燃料電池装置１の概略構成］
図１に示すように、燃料電池装置１は、例えば一般家庭又は商工業施設等の、需要家施設に備えられる。燃料電池装置１は、圧力スイッチ１１と、第１電磁弁１２ａと、第２電磁弁１２ｂと、ガスポンプ１３と、ガス流量計１４と、ホットモジュール２０と、パワーコンディショナ３０と、記憶部１１０と、制御部１２０と、入力部２１０と、計時部２２０と、を有する。ホットモジュール２０は、改質ユニット２１と、燃料電池ユニット２２と、を有する。図１において、実線は、ガス、電力又は水等の経路を示す。一点鎖線は、通信経路を示す。
【００１４】
圧力スイッチ１１は、外部のガスメータ６０を経て供給されるガスの圧力を検出する。圧力スイッチ１１は、設定された所定の圧力を検出するとき、信号（接点信号）を出力する。
【００１５】
第１電磁弁１２ａ及び第２電磁弁１２ｂは、ホットモジュール２０へのガス供給路を開閉する２つのガス電磁弁である。第１電磁弁１２ａ及び第２電磁弁１２ｂは、電磁石の力を用いてガスの供給路を開閉する。第１電磁弁１２ａ及び第２電磁弁１２ｂを直列に配置することによって、一方のガス電磁弁が故障してガス供給を止めることができなくなった場合にも、もう一方のガス電磁弁を作動させることによって、より確実にガスの供給を止めることができる。３つ以上のガス電磁弁を用いてもよい。
【００１６】
ガスポンプ１３は、ポンプヘッド内部に設けたダイアフラムを搖動させることによって、ホットモジュール２０へ供給されるガスの流量を調整する。
【００１７】
ガス流量計１４は、ホットモジュール２０へ供給されるガスの流量を計測するための流量計である。ガス流量計１４は、ガスの流量を計測する。ガス流量計１４は、計測したガス流量情報を、有線通信又は無線通信によって制御部１２０に送信する。
【００１８】
ホットモジュール２０の改質ユニット２１は、水と、ガスメータ６０を経て供給されるガス中に含まれるメタンとから、燃料電池の燃料となる水素を生成する。改質ユニット２１は、水とメタンとを改質反応させて、水素を含む生成物（改質ガス）を得る。改質ユニット２１は、ヒータによって、改質反応に適切な温度に保たれる。
【００１９】
ホットモジュール２０の燃料電池ユニット２２は、１つ以上の燃料電池を有する。例えば、燃料電池ユニット２２は、複数の燃料電池が積み重なったセルスタックを有する。燃料電池ユニット２２には、改質ユニット２１から改質ガスが供給される。燃料電池ユニット２２には、空気が供給される。燃料電池ユニット２２は、改質ガス中の水素と、空気中の酸素と、を用いて発電する。具体的には、燃料電池ユニット２２は、水素と、酸素と、を反応させて、水および電気を生成する。燃料電池ユニット２２は、発電した直流電力をパワーコンディショナ３０に供給する。燃料電池ユニット２２は、高温の排ガスを排出する。排ガスには、例えば、改質ガス中の水素、二酸化炭素、および一酸化炭素等が含まれ得る。燃料電池ユニット２２は、排ガスを、熱交換器４０に供給する。
【００２０】
パワーコンディショナ３０は、燃料電池ユニット２２からの直流電力を交流電力に変換して出力する。パワーコンディショナ３０は、変換後の交流電力を、分電盤８０を介して電力負荷８２に供給する。パワーコンディショナ３０は、燃料電池ユニット２２からの直流電力が十分に供給されているときは、燃料電池ユニット２２からの直流電力を燃料電池装置１の各構成部に供給して各構成部を駆動する。一方、パワーコンディショナ３０は、燃料電池ユニット２２からの直流電力が十分に確保できないときは、外部からの交流電力、例えば系統８１からの交流電力を直流電力に変換する。そして、パワーコンディショナ３０は、変換した直流電力を燃料電池装置１の各構成部に供給して各構成部を駆動する。
【００２１】
パワーコンディショナ３０は、電力負荷８２の消費電力に応じて出力電力を調整する、いわゆる負荷追従制御を行ってもよい。例えば、パワーコンディショナ３０は、ホットモジュール２０が出力する電流を検出し、検出される電流に基づいて負荷追従制御を行う。パワーコンディショナ３０は、出力電力の情報を制御部１２０に送信する。
【００２２】
熱交換器４０は、循環経路４１を介して貯湯槽７０と連結される。貯湯槽７０は、需要家施設に備えられる。貯湯槽７０に貯水された水が、例えば循環ポンプによって、循環経路４１で循環する。熱交換器４０は、供給された排ガスの熱エネルギを用いて、循環経路４１を介して貯湯槽７０との間で循環する水を加熱する。
【００２３】
記憶部１１０は、例えば一次記憶装置又は二次記憶装置を有する。記憶部１１０は、例えば半導体メモリ、磁気メモリ、又は光メモリ等を有する。半導体メモリは、例えば揮発性メモリ又は不揮発性メモリを含む。磁気メモリは、例えばハードディスク又は磁気テープ等を含む。光メモリは、例えばＣＤ（Compact Disc）、ＤＶＤ（Digital Versatile Disc）、又はＢＤ（Blu-ray（登録商標） Disc）等を含む。記憶部１１０は、燃料電池装置１の動作に用いられる種々の情報およびプログラムを記憶する。
【００２４】
制御部１２０は、１つ以上のプロセッサを有する。プロセッサは、特定の処理に特化した専用のプロセッサ、又は特定のプログラムを読み込むことによって特定の機能を実行する汎用のプロセッサを含む。制御部１２０は、燃料電池装置１全体の動作を制御する。具体的には、制御部１２０は、第１電磁弁１２ａ及び第２電磁弁１２ｂを制御して、ガスの供給の開始及び停止を行う。制御部１２０は、ガス流量計１４から受信したガス流量情報に基づいて、ガスポンプ１３を制御してガスの流量を調整する。制御部１２０は、パワーコンディショナ３０から受信した出力電力の情報に基づいて、ガスポンプ１３を制御してガスの流量を調整する。
【００２５】
記憶部１１０及び制御部１２０は、例えば１つの制御装置１００として構成される。制御装置１００としては、例えばコンピュータ等の任意の情報処理装置である。
【００２６】
入力部２１０は、ユーザからの入力を受け付ける。入力部２１０は、例えば、操作ボタン又はタッチパネル等を含む。
【００２７】
計時部２２０は、時刻を計測するタイマである。計時部２２０は、例えば、ＲＴＣ（Real Time Clock：リアルタイムクロック）である。計時部２２０は、制御部１２０の一機能として実装してもよい。計時部２２０は、ネットワークを介してタイムサーバから受信する時刻情報と同期してもよい。
【００２８】
入力部２１０及び計時部２２０は、例えば１つのリモートコントローラ２００として構成される。リモートコントローラ２００は、例えば無線通信によって、制御部１２０と信号をやり取りする。リモートコントローラ２００は、例えばリモートコントローラ２００以外の燃料電池装置１の構成とは別電源により動作する。リモートコントローラ２００は、リモートコントローラ２００以外の燃料電池装置１の構成とは別電源により動作することで、例えば停電時にも計時部２２０による計時を維持することができる。
【００２９】
ガスメータ６０は、燃料電池装置１に供給されるガスの供給量を検出する検出器である。ガスメータ６０は、例えば３０秒〜６０秒あたりのガスの供給量を検出する。ガスメータ６０は、ガスの供給量が所定の条件を満たしたとき、ガスの供給に異常が発生したと判定して、自動的にガスの供給を遮断する。具体的に、ガスメータ６０は、ガスの所定以上の流量を所定のガス漏れ検知期間（例えば３０日間）にわたって継続して検知した場合に、ガス漏れが生じていると判定してガスの供給を遮断する。ガスメータ６０は、所定のガス漏れ検知解除期間（例えば１０時間）継続してガスが停止するとき、ガス漏れ検知期間のカウントをリセットする。
【００３０】
［燃料電池装置１の動作］
図２は、縦軸にホットモジュール２０に供給されるガスの流量を、横軸に時間経過を示し、ホットモジュール２０に供給されるガスの流量の時間変化を示す。図２に示すように、ホットモジュール２０は、ガスメータ６０を経て供給されるガスを改質反応させることで発電する発電状態Ｓ1と、当該ガスを用いた発電を行わない停止状態Ｓ2とを有する。ホットモジュール２０は、停止状態Ｓ2から起動処理状態Ｓ3を経て発電状態Ｓ1に遷移する。起動処理状態Ｓ3では、停止状態Ｓ2から発電状態Ｓ1に向けて、徐々にガスの流量が増加する。ホットモジュール２０は、発電状態Ｓ1から停止処理状態Ｓ4を経て停止状態Ｓ2に遷移する。停止処理状態Ｓ4では、発電状態Ｓ1から停止状態Ｓ2に向けて、徐々にガスの流量が減少する。図２では、起動処理状態Ｓ3及び停止処理状態Ｓ4でのガスの流量の時間変化が一定の割合である例を示したが、一定の割合でなくてもよい。以下では、起動処理状態Ｓ3、発電状態Ｓ1、及び停止処理状態Ｓ4を合わせて、適宜、起動状態と称する。
【００３１】
図２に示すように、ホットモジュール２０は、起動処理状態Ｓ3では改質ユニット２１の加熱等、所定のプロセスを経る必要がある。よって、起動処理状態Ｓ3は、所定の所要時間Ｔ3（例えば２時間〜４時間）を要する。ホットモジュール２０は、停止処理状態Ｓ4では改質ユニット２１の冷却等、所定のプロセスを経る必要がある。よって、停止処理状態Ｓ4は、所定の所要時間Ｔ4（例えば１０時間〜２０時間）要する。ホットモジュール２０は、起動処理状態Ｓ3及び停止処理状態Ｓ4では、ガスメータ６０を経て供給されるガスを必要とする。ホットモジュール２０は、ホットモジュール２０への負担を軽減すべく、起動状態で強制終了して直ちに停止状態Ｓ2に遷移するのではなく、所要時間Ｔ4の停止処理状態Ｓ4を経て停止状態Ｓ2に遷移してから、所要時間Ｔ3の起動処理状態Ｓ3を経て発電状態Ｓ1に遷移する。すまた、同じ理由により、ホットモジュール２０は、起動処理状態Ｓ3の途中で停止処理状態Ｓ4に遷移するのではなく、所要時間Ｔ3の起動処理状態Ｓ3を経て発電状態Ｓ1に遷移してから、所要時間Ｔ4の停止処理状態Ｓ4を経て停止状態Ｓ2に遷移する。
【００３２】
制御部１２０は、ホットモジュール２０に、所定周期ごとに所定の定期停止期間Ｔ1（例えば１日）、停止状態Ｓ2を維持させる。制御部１２０は、定期停止期間Ｔ1以外の期間である起動状態許容期間Ｔ2（例えば２５日、２６日又は２７日）では、ホットモジュール２０が起動状態であることを許容する。起動状態許容期間Ｔ2は、ガスメータ６０のガス漏れ検知期間よりも短い期間である。定期停止期間Ｔ1は、ガスメータ６０のガス漏れ検知解除期間よりも長い期間である。
【００３３】
制御部１２０は、第２所定時刻Ｂでホットモジュール２０が発電状態Ｓ1である場合に、第２所定時刻Ｂにホットモジュール２０を停止処理状態Ｓ4に遷移させる。その後、制御部１２０は、次の定期停止期間Ｔ1の終了時刻Ｄに再起動処理を行う。再起動処理では、制御部１２０がホットモジュール２０を起動処理状態Ｓ3に遷移させる。第２所定時刻Ｂは、次の定期停止期間Ｔ1の開始予定時刻Ｃから停止処理状態Ｓ4の所要時間Ｔ4遡った時刻である。これにより、燃料電池装置１は、第２所定時刻Ｂでホットモジュール２０が発電状態Ｓ1である場合に、ホットモジュール２０を定期停止期間Ｔ1で停止状態Ｓ2にさせつつ、発電状態Ｓ1を最大限確保することができる。
【００３４】
図３に示すように、制御部１２０は、ホットモジュール２０が定期停止期間Ｔ1以外、すなわち起動状態許容期間Ｔ2で停止状態Ｓ2である場合に、第１所定時刻Ａ以前のときにはホットモジュール２０を起動処理状態Ｓ3に遷移させる自動起動処理を行う。以下、起動状態許容期間Ｔ2のうち、第１所定時刻Ａ以前の期間を、自動起動期間Ｔ5とも記載する。一方、制御部１２０は、ホットモジュール２０が起動状態許容期間Ｔ2で停止状態Ｓ2である場合に、第１所定時刻Ａより後のときにはホットモジュール２０を起動処理状態Ｓ3に遷移させない。以下、起動状態許容期間Ｔ2のうち、第１所定時刻Ａより後の期間を、起動禁止期間Ｔ6と称する。第１所定時刻Ａは、次の定期停止期間Ｔ1の開始予定時刻Ｃから起動処理状態Ｓ3の所要時間Ｔ3と停止処理状態Ｓ4の所要時間Ｔ4との合計遡った時刻である。図３では、第１所定時刻Ａで停止状態Ｓ2から起動処理状態Ｓ3に遷移させた場合のガスの流量の時間変化が破線で示される。
【００３５】
上記のように、燃料電池装置１は、ホットモジュール２０が起動状態許容期間Ｔ2で停止状態Ｓ2である場合に、第１所定時刻Ａより後は起動状態への遷移を禁止する。すなわち、燃料電池装置１は、起動処理状態Ｓ3の所要時間Ｔ3及び停止処理状態Ｓ4の所要時間Ｔ4を確保できない場合にはホットモジュール２０が起動状態に遷移することを禁止する。そうすることで、ホットモジュール２０が起動状態に遷移した時点でも、定期停止期間Ｔ1の開始予定時刻Ｃまでに所要時間Ｔ3の停止処理状態Ｓ4を経て停止状態Ｓ2に遷移できる。従って、燃料電池装置１は、ホットモジュール２０に過度な負担を掛けることなく、定期停止期間Ｔ1でホットモジュール２０を停止状態Ｓ2にすることができる。
【００３６】
制御部１２０は、入力部２１０を介してホットモジュール２０の停止命令が入力されると、ホットモジュール２０を停止状態Ｓ2に遷移させる。その後、制御部１２０は、上記の再起動処理及び自動起動処理を行わないように制御してもよい。このように、燃料電池装置１は、停止命令が入力された場合には再起動処理及び自動起動処理を行わないので、発電を停止したいというユーザの意思に沿うことができる。
【００３７】
入力部２１０を介して入力される停止命令は、通常停止命令及び緊急停止命令を含んでもよい。制御部１２０は、通常停止命令が入力されると、ホットモジュール２０を停止処理状態Ｓ4を経て停止状態Ｓ2に遷移させる。制御部１２０は、緊急停止命令が入力されると、ホットモジュール２０の動作状態によらず、停止処理状態Ｓ4を経ることなく、ホットモジュール２０を強制終了させ直ちに停止状態Ｓ2に遷移させる。
【００３８】
制御部１２０は、ホットモジュール２０が異常停止（例えば、ガスポンプ１３の異常検出による停止）して停止状態Ｓ2に遷移すると、再起動処理及び自動起動処理を行わないように制御してもよい。制御部１２０は、例えば、ガスポンプ１３を制御してガスの流量を調整したときにガス流量計１４から受信するガスの流量が予測と異なる場合、ガスポンプ１３の異常を検出する。上記のように、燃料電池装置１は、ホットモジュール２０が異常停止した場合には再起動処理及び自動起動処理を行わないので、安全性を確保することができる。その後、制御部１２０は、安全性が確保できた場合、例えば入力部２１０を介して安全性が確保できた旨の情報が入力された場合、再起動処理及び自動起動処理を行う。制御部１２０は、ホットモジュール２０が安全性に支障のない軽故障（例えば、制御装置１００とリモートコントローラ２００との間の通信障害）によって停止処理状態Ｓ4を経て停止状態Ｓ2に遷移した場合は、再起動処理及び自動起動処理を行うように制御してもよい。
【００３９】
図４及び図５を参照して、系統８１から燃料電池装置１への電力供給が停止、すなわち停電した場合の、燃料電池装置１の動作について説明する。
【００４０】
ホットモジュール２０は、発電状態Ｓ1以外の動作状態では、外部の電力、例えば系統８１からの電力で駆動する。ホットモジュール２０は、停電発生時刻に発電状態Ｓ1ではない場合（ステップＳ１０１のＮｏ）、電力供給を受けることができず、強制終了する（ステップＳ１０２）。例えば、ホットモジュール２０は、停電発生時刻に起動処理状態Ｓ3又は停止処理状態Ｓ4である場合、強制終了となり、直ちに停止状態Ｓ2に遷移する。一方、ホットモジュール２０が停電発生時刻に発電状態Ｓ1である場合（ステップＳ１０１のＹｅｓ）、ステップＳ１０３の工程に進む。
【００４１】
停電発生時刻が第３所定時刻Ｅより前である場合（ステップＳ１０３のＮｏ）、燃料電池装置１はステップＳ１０４の工程に進む。第３所定時刻Ｅは、第２所定時刻Ｂから所定時間Ｔ7（例えば３．５時間）遡った時刻である。所定時間Ｔ7は、系統８１が電力供給を再開、すなわち復電するための所要時間以上に適宜設定される。
【００４２】
第２所定時刻Ｂまでに燃料電池装置１が復電する場合（ステップＳ１０４のＹｅｓ）、燃料電池装置１は、通常の電力制御、すなわち上述した電力制御に移行する（ステップＳ１０５）。一方、第２所定時刻Ｂまでに復電しない場合（ステップＳ１０４のＮｏ）、ホットモジュール２０は、強制終了し、第２所定時刻Ｂの時点で直ちに停止状態Ｓ2に遷移する（ステップＳ１０２）。
【００４３】
ステップＳ１０３の工程において、停電発生時刻が第３所定時刻Ｅ以後である場合（ステップＳ１０３のＹｅｓ）、燃料電池装置１はステップＳ１０６の工程に進む。停電発生時刻から所定時間Ｔ7以内に復電しない場合（ステップＳ１０６のＮｏ）、ホットモジュール２０は、強制終了し、停止状態Ｓ2に遷移する（ステップＳ１０２）。一方、停電発生時刻から所定時間Ｔ7以内に復電した場合（ステップＳ１０６のＹｅｓ）、制御部１２０は、ホットモジュール２０を停止処理状態Ｓ4に遷移させる（ステップＳ１０７）。
【００４４】
上記のように動作する燃料電池装置１によれば、第２所定時刻Ｂから復電するための所要時間以上の所定時間Ｔ7だけ遡った第３所定時刻Ｅ以後に停電した場合、停電から所定時間Ｔ7以内に復電すれば、たとえ第２所定時刻Ｂを過ぎていても、制御部１２０はホットモジュール２０を停止処理状態Ｓ4に遷移させる。従って、燃料電池装置１は、復電後にホットモジュール２０に過度な負担を掛けることなく、ホットモジュール２０を停止状態Ｓ2にすることができる。この場合、停止状態Ｓ2が定期停止期間Ｔ1を下回る場合があるが、定期停止期間Ｔ1から所定時間Ｔ7を減じた時間は、ガスメータ６０のガス漏れ検知解除期間よりも長い。
【００４５】
本発明は、上述した実施形態で特定された構成に限定されるものではなく、特許請求の範囲に記載した発明の要旨を逸脱しない範囲内で種々の変形が可能である。例えば、各構成部、各ステップなどに含まれる機能などは論理的に矛盾しないように再配置可能であり、複数の構成部又はステップなどを１つに組み合わせたり、或いは分割したりすることが可能である。また、本開示について燃料電池装置１を中心に説明してきたが、本開示は燃料電池装置１をコンピュータにより制御する方法、プログラム、又はプログラムを記録した記憶媒体としても実現し得るものであり、本開示の範囲にはこれらも包含されるものと理解されたい。
【符号の説明】
【００４６】
１    燃料電池装置
１１    圧力スイッチ
１２ａ    第１電磁弁
１２ｂ    第２電磁弁
１３    ガスポンプ
１４    ガス流量計
２０    ホットモジュール
２１    改質ユニット
２２    燃料電池ユニット
３０    パワーコンディショナ
４０    熱交換器
４１    循環経路
６０    ガスメータ
７０    貯湯槽
８０    分電盤
８１    系統
８２    電力負荷
１００    制御装置
１１０    記憶部
１２０    制御部
２００    リモートコントローラ
２１０    入力部
２２０    計時部
Ａ  第１所定時刻
Ｂ  第２所定時刻
Ｃ  次の定期停止期間の開始予定時刻
Ｄ  次の定期停止期間の終了時刻
Ｅ  第３所定時刻
Ｓ1  発電状態
Ｓ2  停止状態
Ｓ3  起動処理状態
Ｓ4  停止処理状態
Ｔ1  定期停止期間
Ｔ2  起動状態許容期間
Ｔ3  起動処理状態の所要時間
Ｔ4  停止処理状態の所要時間
Ｔ5  自動起動期間
Ｔ6  起動禁止期間
Ｔ7  所定時間
【図１】
2018190568.tif 000003
【図２】
2018190568.tif 000004
【図３】
2018190568.tif 000005
【図４】
2018190568.tif 000006
【図５】
2018190568.tif 000007